(57)【要約】【課題】  植物の育成に適し、かつ安価に製造可能な植物育成マットを得る。【解決手段】  厚さ約２５〜６０ｍｍ、一辺の長さ約３００〜１０００ｍｍの連続気孔を有する多孔質セラミックス基盤２の上面には、合成樹脂から成る繊維状の起毛材４が貼り合わせ、この起毛材４中に植物の育成に必要な客土５が混入されている。客土５上に植物７の種子茎葉を蒔き発芽発根させると、根毛は起毛材４に絡み合い、セラミックス基盤２の連続気孔内に入り込み定着し、植物７が育成する。【選択図】  図１
2007189903.tif 000002
【特許請求の範囲】
【請求項１】
多孔質セラミックス基盤と、該多孔質セラミックス基盤上に貼り付けた繊維状の起毛材と、該起毛材中に混入し植物を育成する客土とから成ることを特徴とする植物育成マット。
【請求項２】
前記多孔質セラミックス基盤の裏面に合成樹脂製シートを敷設したことを特徴とする請求項１に記載の植物育成マット。
【請求項３】
前記多孔質セラミックス基盤の側面に、隣り合う前記多孔質セラミックス基盤と嵌合するための段部又は溝部を設けたことを特徴とする請求項１又は２に記載の植物育成マット。
【請求項４】
多孔質セラミックス基盤上に客土を積層し、該客土に植物の種子茎葉を蒔き、該植物を育成することを特徴とする植物育成マットの製造方法。
【請求項５】
多孔質セラミックス基盤上に繊維状の起毛材を貼り付け、該起毛材中に客土を混入し、該客土に植物の種子茎葉を蒔き、該植物を育成することを特徴とする植物育成マットの製造方法。
【発明の詳細な説明】
【技術分野】
【０００１】
本発明は、例えば建造物の屋上、屋根の上、ルーフバルコニー、或いは壁面部を緑化するために使用する植物育成マット及び該マットの製造方法に関するものである。
【背景技術】
【０００２】
従来、建造物の屋上や屋根の上に設置する植物育成マットとしては、例えば特許文献１に示す植物育成マットが知られている。この特許文献１における植物育成マットは、ブロック状の形状をしたブロック構造体上に、植物体から成る繊維同士をゴム状物質で架橋し、植物根茎の伸長に適した連続気孔を有するマットを形成している。
【０００３】
また、建物の屋上等において、防水シートを介して土壌を生成し、その上に植裁する方法も用いられている。
【０００４】
【特許文献１】特開平１１−３１８２０４号公報
【発明の開示】
【発明が解決しようとする課題】
【０００５】
しかしながら上述の特許文献１においては、植物繊維とゴム状物質を温度約１００℃と、圧力０．１ｋｇ／１００ｃｍ2で架橋しているが、温度によっては後に至って未反応の架橋剤が溶出したり、価格も高くなる欠点がある。
【０００６】
また、屋上等に直接土壌を敷き詰め植裁する方法では、現場において耐根、防水処理、土壌の搬入等の様々な処理を必要とし、工期が長く、コストも高くなってしまう。更には、一旦施工してしまうと撤去したり、植え替えをすることは極めて困難である。
【０００７】
本発明の目的は、上述の課題を解消し、施工・解体がし易く、植物の育成に適し、かつ安価に製造可能な植物育成マット及び該植物育成マットの製造方法を提供することにある。
【課題を解決するための手段】
【０００８】
上記目的を達成するための本発明に係る植物育成マットの技術的特徴は、多孔質セラミックス基盤と、該多孔質セラミックス基盤上に貼り付けた繊維状の起毛材と、該起毛材中に混入し植物を育成する客土とから成ることにある。
【０００９】
また、本発明に係る植物育成マットの製造方法の技術的特徴は、多孔質セラミックス基盤上に客土を積層し、該客土に植物の種子茎葉を蒔き、該植物を育成することにある。
【００１０】
更に、本発明に係る植物育成マットの製造方法の技術的特徴は、多孔質セラミックス基盤上に繊維状の起毛材を貼り付け、該起毛材中に客土を混入し、該客土に植物の種子茎葉を蒔き、該植物を育成することにある。
【発明の効果】
【００１１】
本発明に係る植物育成マット及び該マットの製造方法によれば、多孔質セラミックス基盤上に積層した客土により発根した根が、多孔質セラミックス基盤の気孔中に入り込んで定着し易い。
【００１２】
本発明に係る植物育成マット及び該マットの製造方法によれば、多孔質セラミックス基盤上に合成樹脂から成る繊維状の起毛材を貼り付け、起毛材中に混入した客土により発根した根が、起毛材に絡み合い、多孔質セラミックス基盤の気孔中に入り込んで定着し易く、強風等によっても植物が飛ばされる難くなる。
【発明を実施するための最良の形態】
【００１３】
本発明を図示の実施例に基づいて詳細に説明する。
図１は植物育成マット１の断面図を示しており、基板となる多孔質セラミックス基盤２は、例えば比重０．５〜０．７、厚さ約２５〜６０ｍｍ、一辺の長さ約３００〜１０００ｍｍの矩形状の板体であり、内部に多孔質の連続気孔を持ち保水性を有する。
【００１４】
この多孔質セラミックス基盤２は例えば珪藻土を原料として発泡セラミックスとして約１０００℃で焼成すると、珪藻土が本来有するミクロンサイズの気孔と発泡セラミックスの有するミリサイズの気孔との組合わせにより、大きい偏平状の気孔の周りを約１０〜１００μｍの微細なスポンジ状の気孔が取り巻いた連続貫通気孔構造を持っている。そして、焼成の仕方で上面には内部と同等の気孔が露出され、かつ底面における気孔は極端に微細化されている。
【００１５】
この多孔質セラミックス基盤２は、無機材料で有機化学物質や重金属類等の溶出がなく、透水性、保水性、吸音性、断熱性、加工性、吸水湿性に優れている。特に、自重の約５０％の保水量を持ち、飽和状態以上の水分は排水する性質を有する。
【００１６】
また、このセラミックス基盤２の側面には、複数枚のセラミックス基盤２を並べた場合に、隣り合う植物育成マット１同士がずれないようにするための段部２ａ、２ｂが設けられている。
【００１７】
また、多孔質セラミックス基盤２の下面には、防水のための合成樹脂フィルム３が貼り付けられ、上面には合成樹脂から成る繊維状の起毛材４が厚さ１０ｍｍ程度に貼り付けられている。更に、この起毛材４中には、軽量な火山砂利等から成る客土５が混入されている。なお、この客土５には植物の育成に必要な微量元素のミネラルが含まれていることが好ましい。
【００１８】
このように、客土５を起毛材４中に混入させることにより、客土５が飛散することはなく、また客土５の圧縮沈下等の経年変化が防止され、植物の根の成長を促す構造となる。
【００１９】
そして、この客土５の上に植物７の種子茎葉を蒔き水を与えて発芽発根させると、根毛は起毛材４に絡み合うことにより定着し易く、更に多孔質セラミックス基盤２の連続気孔中に入り込むので、植物７を育成した植物育成マット１が安価に得られる。
【００２０】
本実施例においては、多孔質セラミックス基盤２上に起毛材４を貼り付け、この起毛材４中に客土５を混入したが、設置条件等によっては起毛材４を省略し、多孔質セラミックス基盤２上に直接、客土５を積層することもできる。
【００２１】
図２は複数枚の植物育成マット１を並べた状態の説明図を示し、セラミックス基盤２の隣接する段部２ａ、２ｂ同士を重ね合ね合わせるだけで容易に並べることができると共に、植物育成マット１同士が移動しないようにすることができる。実施例においては、横断面方向の段部２ａ、２ｂを用いて説明したが、勿論、横断面方向と共に縦断面方向にも図示しない段部を設けることもできる。
【００２２】
図３は既存の折板屋根上に、植物育成マット１を配置した状態の構成図を示している。折板屋根１１上に専用のベース金具１２を取り付けることにより、本発明の植物育成マット１を配列して固定することができる。
【００２３】
また、育成する植物７は一般的な草花、芝生等でもよいが、乾燥に強いベンケイソウ科等に属する所謂セダムを用いると、乾燥にも強く、厳しい温度、少ない土壌の過酷な環境下でも育成可能である。このため、建物の屋上等で育成する際には、潅水の手間や水道代は従来の屋上庭園等の場合よりも節約できる。
【００２４】
多孔質セラミックス基盤２が優れた保水性を有することもあって、セダムは通常は雨水の水分だけで育成可能であり、除草や剪定の作業も殆ど不要である。上述したように、一旦設置すると殆ど人手を必要としないので、メインテナンスの困難な高層手摺外やセキュリティの厳重な施設にも適している。
【００２５】
また、建物の屋上において使用する際には、単位面積当りの重量も重要であり、多孔質セラミックス基盤２、起毛材４、少ない客土５により軽量化した本発明の植物育成マット１は大きな利点がある。
【００２６】
更には、施工や撤去に際して、植物育成マット１ごとに運搬できるので、短期間で工事が完了する利点がある。また、複数枚の植物育成マット１を敷き詰めることにより、一部の植物育成マット１の植物７が枯れてしまったり、病気にかかった場合には、その部分の植物育成マット１のみを交換すればよい。そして、交換した植物育成マット１は別の場所において養生することができる。
【図面の簡単な説明】
【００２７】
【図１】植物育成マットの断面図である。
【図２】複数枚の植物育成マットを並べた状態の説明図である。
【図３】折板屋根に植物育成マットを配置した状態の構成図である。
【符号の説明】
【００２８】
１  植物育成マット
２  多孔質セラミックス基盤
２ａ、２ｂ  段部
３  合成樹脂フィルム
４  起毛材
５  客土
１１  折板屋根
１２  ベース金具
【図１】
2007189903.tif 000003
【図２】
2007189903.tif 000004
【図３】
2007189903.tif 000005